(57)【特許請求の範囲】
【請求項１】
筐体の内部に設けられ、表示画面の第１半画面に対応する第１眼用表示領域および表示画面の第２半画面に対応する第２眼用表示領域を有する表示パネルと、
上記表示パネルに画像データを書き込む表示駆動部と、
上記筐体の内部に設けられ、上記表示パネルに光を照射するバックライトとを備え、
上記筐体の内部は、上記第１眼用表示領域側の第１空間と、上記第２眼用表示領域側の第２空間とに仕切る仕切りが設けられており、
上記表示駆動部は、
上記第１半画面の第１眼用画像データを上記第１眼用表示領域に書き込む第１表示駆動期間と、上記第２半画面の第２眼用画像データを上記第２眼用表示領域に書き込む第２表示駆動期間との間に、上記表示パネルの表示駆動を休止する休止期間を設け、
上記バックライトは、
上記休止期間のうちの第１期間において、上記第１眼用表示領域および上記第２眼用表示領域に光を照射せず、
上記休止期間のうちの、上記第１期間の後に続く第２期間において、上記第１眼用表示領域および上記第２眼用表示領域に光を照射することを特徴とする表示装置。
【請求項２】
上記画像データが書き込まれるメモリを備え、
上記表示駆動部は、上記表示駆動部に交互に転送されてくる上記第１眼用画像データおよび上記第２眼用画像データを上記メモリに書き込むことを特徴とする請求項１に記載の表示装置。
【請求項３】
上記表示駆動部は、上記メモリに書き込まれている上記画像データを読み出し、該画像データを上記表示パネルに書き込むものであり、
上記表示駆動部に上記第１眼用画像データを転送する第１転送期間より、上記第１表示駆動期間は短いことを特徴とする請求項２に記載の表示装置。
【請求項４】
上記表示駆動部に上記第１眼用画像データを転送する第１転送期間と、上記表示駆動部に上記第２眼用画像データを転送する第２転送期間との間には、上記画像データの転送を休止する転送休止期間が設けられていることを特徴とする請求項１または２に記載の表示装置。
【請求項５】
上記バックライトは、上記第２表示駆動期間の開始以前に、上記第１眼用表示領域および上記第２眼用表示領域への光の照射を終了することを特徴とする請求項１から４のいずれか一項に記載の表示装置。
【請求項６】
上記表示パネルは液晶画素を含み、
上記第１表示駆動期間の開始から上記第２期間の開始までの時間は、上記液晶画素の応答時間以上であることを特徴とする請求項１から５のいずれか一項に記載の表示装置。
【請求項７】
上記第１表示駆動期間の終了から上記第２期間の開始までの時間は、上記液晶画素の応答時間以上であることを特徴とする請求項６に記載の表示装置。
【請求項８】
ユーザが装着可能な表示装置であって、
上記ユーザの動きを検知するセンサーと、
上記ユーザの動きに応じた上記画像データを生成する画像生成部とを備えることを特徴とする請求項１から７のいずれか一項に記載の表示装置。
【請求項９】
筐体の内部に設けられ、表示画面の第１半画面に対応する第１眼用表示領域および表示画面の第２半画面に対応する第２眼用表示領域を有する表示パネルと、上記筐体の内部に設けられ、上記表示パネルに光を照射するバックライトとを備え、上記筐体の内部は、上記第１眼用表示領域側の第１空間と、上記第２眼用表示領域側の第２空間とに仕切る仕切りが設けられている表示装置の制御方法であって、
上記第１半画面の第１眼用画像データを上記第１眼用表示領域に書き込む第１表示駆動期間と、上記第２半画面の第２眼用画像データを上記第２眼用表示領域に書き込む第２表示駆動期間との間に、上記表示パネルの表示駆動を休止する休止期間を設け、
上記休止期間のうちの第１期間においては、上記バックライトから上記第１眼用表示領域および上記第２眼用表示領域に光を照射させず、
上記休止期間のうちの、上記第１期間の後に続く第２期間において、上記バックライトから上記第１眼用表示領域および上記第２眼用表示領域に光を照射させることを特徴とする表示装置の制御方法。
【発明の詳細な説明】
【技術分野】
【０００１】
本発明は表示装置に関する。
【背景技術】
【０００２】
ユーザの左右の目に異なる画像（立体画像）を見せる表示装置として、ユーザの頭部に装着して使用されるヘッドマウントディスプレイがある。【０００３】
特許文献１には、時分割で１つの表示器に左眼用画像および右眼用画像を交互に表示させる頭部搭載型立体画像表示装置が記載されている。この頭部搭載型立体画像表示装置は、左右の画像のクロストークを防止するために、左眼の視界と右眼の視界とを交互に切り換えるシャッターを備える。
【先行技術文献】
【特許文献】
【０００４】
【特許文献１】日本国特許公報「特開平６−１０２４６９号公報」
【発明の概要】
【発明が解決しようとする課題】
【０００５】
特許文献１の技術では、クロストークを防止するためのシャッターが必要になる。そのため、シャッターと画像表示との同期制御が必要になる。また、構成が複雑になり、頭部に装着する表示装置の重量が重くなる。【０００６】
シャッターを不要にするため、表示画面を左右に分割し、左眼が見る領域と右眼が見る領域とを分けることが考えられる。ただし、常時バックライトを点灯させる場合、シャッターがないので、書き換え途中の画像がユーザに見えることになる。一方で、表示画面の全画素の更新が終わってからバックライトを点灯させる場合、ユーザが更新された左右の画像を視認できるタイミングが遅くなってしまう。【０００７】
本発明の一態様は、更新された画像をユーザに早く視認させることのできる表示装置を実現することを目的とする。
【課題を解決するための手段】
【０００８】
本発明の一態様に係る表示装置は、第１眼用表示領域および第２眼用表示領域を有する表示パネルと、上記表示パネルに画像データを書き込む表示駆動部と、上記表示パネルに光を照射するバックライトとを備え、上記表示駆動部は、第１眼用画像データを上記第１眼用表示領域に書き込む第１表示駆動期間と、第２眼用画像データを上記第２眼用表示領域に書き込む第２表示駆動期間との間に、上記表示パネルの表示駆動を休止する休止期間を設け、上記バックライトは、上記休止期間のうちの第１期間において、上記第１眼用表示領域および上記第２眼用表示領域に光を照射せず、上記休止期間のうちの、上記第１期間の後に続く第２期間において、上記第１眼用表示領域および上記第２眼用表示領域に光を照射する構成である。【０００９】
本発明の一態様に係る表示装置の制御方法は、第１眼用表示領域および第２眼用表示領域を有する表示パネルと、上記表示パネルに光を照射するバックライトとを備える表示装置の制御方法であって、第１眼用画像データを上記第１眼用表示領域に書き込む第１表示駆動期間と、第２眼用画像データを上記第２眼用表示領域に書き込む第２表示駆動期間との間に、上記表示パネルの表示駆動を休止する休止期間を設け、上記休止期間のうちの第１期間においては、上記バックライトから上記第１眼用表示領域および上記第２眼用表示領域に光を照射させず、上記休止期間のうちの、上記第１期間の後に続く第２期間において、上記バックライトから上記第１眼用表示領域および上記第２眼用表示領域に光を照射させる方法である。
【発明の効果】
【００１０】
本発明の一態様によれば、更新された画像をユーザに早く視認させることができる。
【図面の簡単な説明】
【００１１】
【図１】本発明の一実施形態のヘッドマウントディスプレイの構成を示すブロック図である。
【図２】本発明の一実施形態のヘッドマウントディスプレイの内部構成を示す概要図である。
【図３】本発明の一実施形態における表示パネルおよびバックライトの平面構成を示す概略図である。
【図４】本発明の一実施形態における画像データの表示に関するタイミングチャートを示す図である。
【図５】本発明の一実施形態におけるホストの処理フローを示す図である。
【図６】本発明の一実施形態における表示部の処理フローを示す図である。
【図７】本発明の他の実施形態における画像データの表示に関するタイミングチャートを示す図である。
【図８】本発明の他の実施形態におけるホストの処理フローを示す図である。
【図９】本発明の他の実施形態における表示部の処理フローを示す図である。
【発明を実施するための形態】
【００１２】
〔実施形態１〕
（ヘッドマウントディスプレイの構成）
図２は、本実施形態のヘッドマウントディスプレイの内部構成を示す概要図である。ヘッドマウントディスプレイ１（表示装置）は、ユーザの頭部に装着可能な表示装置である。ヘッドマウントディスプレイ１は、ユーザが左眼で覗く左眼用レンズ部３１ａと、右眼で覗く右眼用レンズ部３１ｂとを備える。各レンズ部３１ａ、３１ｂは、１つまたは複数のレンズを備えてもよい。ヘッドマウントディスプレイ１は、筐体の内部に、表示パネル２３、およびバックライト２４を備える。ヘッドマウントディスプレイ１の内部は仕切り３２で仕切られており、ユーザの左眼からは表示パネル２３の左眼用表示領域２５ａのみが見え、ユーザの右眼からは表示パネル２３の右眼用表示領域２５ｂのみが見える。
【００１３】
図１は、本実施形態のヘッドマウントディスプレイの構成を示すブロック図である。ヘッドマウントディスプレイ１は、ホスト１０、表示部２０、およびセンサー３０を備える。
【００１４】
センサー３０は、ユーザの動きを検知するセンサーであり、例えば、加速度センサーまたはジャイロセンサー等である。センサー３０は、ユーザが頭の向きを変えたことを検知し、ユーザの動き（頭の向き）の情報をホスト１０に出力する。
【００１５】
ホスト１０は、ヘッドマウントディスプレイ１の制御を行う回路である。ホスト１０は、画像生成部１１および画像転送部１２を備える。ホスト１０は、センサー３０からユーザの動きの情報を受信し、それらを画像生成部１１に出力する。
【００１６】
画像生成部１１は、センサー３０からユーザの動きの情報に基づいて、表示部２０に表示させるための画像データを生成する。画像生成部１１は、回路で構成されてもよいし、プログラムとそれを実行するＣＰＵ（Central Processing Unit）および／またはＧＰＵ（Graphics Processing Unit）を用いて構成されてもよい。例えば、画像生成部１１は、ユーザの動きの情報から、仮想現実空間でのユーザの位置および向きを特定する。画像生成部１１は、仮想現実空間の３Ｄデータと、ユーザの位置および向きとに応じて、画像データを生成する。生成された画像データは、仮想現実空間でのユーザの視界を表す画像を示す。画像生成部１１は、画像データとして、左眼用画像データおよび右眼用画像データ（第１眼用画像データ、第２眼用画像データ）を生成する。例えば、左眼用画像データおよび右眼用画像データは、左右の目の視差が考慮された画像を表す。画像生成部１１は、生成した左眼用画像データおよび右眼用画像データを画像転送部１２に出力する。
【００１７】
画像転送部１２は、所定のタイミングで、表示部２０に左眼用画像データおよび右眼用画像データを交互に転送する。
【００１８】
表示部２０は、表示駆動部２１、メモリ２２、表示パネル２３、およびバックライト２４を備える表示装置である。表示部２０は、受信した画像データを表示駆動部２１に出力する。
【００１９】
表示駆動部２１は、表示パネル２３およびバックライト２４の動作を制御する回路である。表示駆動部２１は、ホスト１０から受信した画像データをメモリ２２に書き込む。表示駆動部２１は、表示更新に合わせた所定のタイミングでメモリ２２から画像データを読み出し、読み出した画像データを表示パネル２３に書き込む。また、表示駆動部２１は、所定のタイミングでバックライト２４を点灯／消灯させる。
【００２０】
メモリ２２は、受信した画像データを、表示パネル２３に書き込むためにメモリ２２から読み出すまで、一時的に記憶しておく。メモリ２２の容量は、例えば、左眼用画像データ（または右眼用画像データ）のサイズより小さくてもよい。
【００２１】
図３は、表示パネルおよびバックライトの平面構成を示す概略図である。表示パネル２３は、画像データが書き込まれる複数の画素を含み、バックライト２４から照射される光の透過量を画素毎に変化させることにより、画像データが示す画像を表示する。ここでは、表示パネル２３は、左眼用表示領域２５ａおよび右眼用表示領域２５ｂを含む１つの表示画面を備える。左眼用表示領域２５ａおよび右眼用表示領域２５ｂのそれぞれは、複数の液晶画素を含む。表示パネル２３は、表示画面に配された複数の走査信号線Ｇ、および複数のデータ信号線Ｓを備える。図３には、そのうちの１つの走査信号線Ｇ、および１つのデータ信号線Ｓを示す。各走査信号線Ｇは、縦方向に沿って延びており、複数の走査信号線は、横方向に並んでいる。各データ信号線Ｓは、横方向に沿って延びており、複数の走査信号線は、縦方向に並んでいる。ここでは、複数のデータ信号線Ｓは、左眼用表示領域２５ａと右眼用表示領域２５ｂとで共通である。画像データは、複数のデータ信号線Ｓを介して各画素に供給される。ここでは、複数の走査信号線Ｇは、左から順に走査されるものとして説明するが、これに限らず、例えば、表示画面の中央から外側に向かって順に走査されてもよい。
【００２２】
１フレームの画像データは、１つの表示画面に表示される画像を示す。１フレームの画像データは、左眼用画像データおよび右眼用画像データを含む。左眼用画像データは、左眼用表示領域２５ａの複数の画素に書き込まれ、左眼用表示領域２５ａに表示される。同様に、右眼用画像データは、右眼用表示領域２５ｂの複数の画素に書き込まれ、右眼用表示領域２５ｂに表示される。
【００２３】
バックライト２４は、表示パネル２３の背面側に配置されており、表示パネル２３に光を照射する光源である。バックライト２４は、左眼用表示領域２５ａおよび右眼用表示領域２５ｂに対して共通であり、左眼用表示領域２５ａおよび右眼用表示領域２５ｂの両方に、同じタイミングで光を照射する。言い換えれば、バックライト２４の点灯時は、左眼用表示領域２５ａおよび右眼用表示領域２５ｂの両方に光が照射され、バックライト２４の消灯時は、左眼用表示領域２５ａおよび右眼用表示領域２５ｂの両方に光が照射されない。
【００２４】
（タイミングチャート）
図４は、画像データの表示に関するタイミングチャートを示す図である。図４において横軸は時間である。ホスト１０から表示部２０に、左眼用画像データと右眼用画像データとが交互に転送される。左眼用画像データおよび右眼用画像データを合わせて１フレームの画像データであり、ここでは、フレームレートは６０Ｈｚである。１フレーム期間は約１６．４ｍｓである。ただし、フレームレートは６０Ｈｚに限定されない。
【００２５】
時刻ｔ０〜ｔ２の期間（第１転送期間）に、左眼用画像データＬ１が表示部２０に転送される。時刻ｔ２〜ｔ５の期間（第２転送期間）に、右眼用画像データＲ１が表示部２０に転送される。
【００２６】
表示駆動部２１は、受信した左眼用画像データＬ１を一旦メモリ２２に書き込み、左眼用画像データＬ１の転送開始から所定時間経過後の時刻ｔ１に、左眼用画像データＬ１の表示パネル２３への書き込み（表示駆動）を開始する。画像転送の速度より、表示駆動の速度は速い。それゆえ、左眼用画像データＬ１のうちの最後のデータ（左眼用表示領域２５ａの右端列に対応するデータ）を受信したら該データを表示パネル２３に出力できるように、転送開始からある期間、表示駆動開始を遅らせる。それゆえ、左眼用画像データＬ１の転送と左眼用画像データＬ１の表示パネル２３への書き込みとは、ほぼ同じタイミング（時刻ｔ２）で終了する。もちろん、転送終了と書き込み終了との間にタイムラグは存在する。そのため、左眼用画像データＬ１を用いた第１表示駆動期間の最後と、右眼用画像データＲ１の第２転送期間の初期とが重なっていてもよい。
【００２７】
時刻ｔ２から右眼用画像データＲ１の転送が開始される。左眼用画像データＬ１と同様に、表示駆動部２１は、受信した右眼用画像データＲ１を一旦メモリ２２に書き込む。一方、時刻ｔ２〜ｔ４の期間（休止期間）において、表示駆動（表示パネル２３への画像データの書き込み）は、休止される。休止期間は、バックライト２４が消灯する第１期間（時刻ｔ２〜ｔ３）と、バックライト２４が点灯する第２期間（時刻ｔ３〜ｔ４）とを含む。
【００２８】
バックライト２４は、点灯（ＯＮ）と消灯（ＯＦＦ）とを繰り返す間欠駆動を行う。左眼用画像データＬ１の表示パネル２３への書き込みが開始される時刻ｔ１以降、バックライト２４は、時刻ｔ３まで消灯している。言い換えれば、左眼用表示領域２５ａの表示駆動が行われている第１表示駆動期間（時刻ｔ１〜ｔ２）と、表示駆動が休止されている休止期間のうちの第１期間（時刻ｔ２〜ｔ３）とにおいて、バックライト２４は消灯している。そして、休止期間のうちの第１期間の後に続く第２期間（時刻ｔ３〜ｔ４）において、バックライト２４は点灯する。すなわち、ユーザは、左眼用画像データＬ１に更新された左眼用表示領域２５ａの画像を、時刻ｔ３〜ｔ４において視認する。なお、バックライト２４は左眼用表示領域２５ａと右眼用表示領域２５ｂとに共通なので、ユーザは、時刻ｔ３〜ｔ４において、更新前の右眼用表示領域２５ｂの画像も視認する。
【００２９】
バックライト２４が消灯した後、時刻ｔ４から右眼用画像データＲ１を用いて右眼用表示領域２５ｂの表示更新が開始される。時刻ｔ５において、右眼用画像データＲ１の転送が終了し、続いて右眼用画像データＲ１の表示パネル２３への書き込みが終了する。また、時刻ｔ５から、次のフレームの左眼用画像データＬ２の転送が開始される。時刻ｔ５〜ｔ７は、表示パネル２３の表示駆動を休止する休止期間である。休止期間のうちの後の方の期間（時刻ｔ６〜ｔ７）において、バックライトは点灯する。ユーザは、右眼用画像データＲ１に更新された右眼用表示領域２５ｂの画像（および左眼用画像データＬ１に更新された左眼用表示領域２５ａの画像）を、時刻ｔ６〜ｔ７において視認する。バックライト２４が消灯した後、時刻ｔ７から左眼用画像データＬ２を用いて左眼用表示領域２５ａの表示更新が開始される。
【００３０】
図４の例では、第１転送期間（時刻ｔ０〜ｔ２）および第２転送期間（時刻ｔ２〜ｔ５）は、それぞれ、約８．３ｍｓである。ここでは、転送開始から約４．２ｍｓ経過後に左眼用画像データＬ１の書き込みを開始する。つまり、第１表示駆動期間と第２表示駆動期間との間の休止期間（時刻ｔ２〜ｔ４またはｔ５〜ｔ７）は、約４．２ｍｓである。第１表示駆動期間（時刻ｔ１〜ｔ２）および第２表示駆動期間（時刻ｔ４〜ｔ５）は、それぞれ、約４．２ｍｓである。バックライト２４の１回の点灯期間（時刻ｔ３〜ｔ４またはｔ６〜ｔ７）は、約１ｍｓである。１フレームの画像の転送は、フレームレートと同じ６０Ｈｚ相当の速度で行われる。一方、１フレームの画像の表示駆動は、フレームレートの２倍の１２０Ｈｚ相当の速度で行われる。なお、これらの数値は一例であり、変更され得る。例えば、表示駆動は、１２０Ｈｚ相当の速度より速い速度で行われてもよい。バックライトの１回の点灯期間をより長くしてもよいし、短くしてもよい。
【００３１】
ここで、液晶画素にデータが書き込まれてから液晶の配向が所望の状態まで変化するまでに、いくらか時間が掛かる。例えば、液晶画素の応答時間（レスポンスタイム）は、約４ｍｓである。上記応答時間は、液晶画素が黒から白に遷移する時間である。そのため、液晶画素の遷移が終わっていないうちにバックライトを点灯すると、ユーザには、変化途中の画像が見えてしまう。
【００３２】
本実施形態では、表示部２０は、左眼用表示領域２５ａの最後の画素への書き込みが終了してから、液晶画素の状態が遷移する時間を空けて、バックライト２４を点灯させる。それゆえ、ユーザに変化途中の画像を見せることなく、適切な画像を表示することができる。なお、バックライト２４を点灯させる期間は、一部が後の表示駆動期間と少し重なってもよい。（ｉ）液晶画素の状態が遷移するまでには時間が掛かること、および、（ｉｉ）表示駆動期間の初期に更新されるのは、表示領域の左端または右端の重要ではない画素（ユーザの視界の端の方に対応する画素）であることが、その理由である。
【００３３】
ここで、もし１フレームの画像データ（左眼用画像データＬ１および右眼用画像データＲ１）の転送および表示駆動が終了してから初めてバックライトを点灯させた場合、画像データの転送が開始されてから更新された画像をユーザに視認させるまでに、少なくとも１フレーム期間掛かる。ヘッドマウントディスプレイは、ユーザの向きに応じて画像を変化させる。画像データの転送から表示に掛かる時間が長いと、ユーザの向きの変化に画像の変化が追随せず、ユーザに違和感を与えてしまう。
【００３４】
一方、本実施形態では、表示駆動部２１は、左眼用表示領域２５ａの表示駆動期間と右眼用表示領域２５ｂの表示駆動期間との間に休止期間を設ける。該休止期間のうち、第１期間より後の第２期間においてバックライト２４が点灯する。それゆえ、画像データの転送が開始されてから１フレーム期間掛からずに、右眼用画像データＲ１が転送されている間に、他方の左眼用画像データＬ１の画像を先にユーザに視認させることができる。右眼用画像データＲ１についても同様に、右眼用画像データＲ１の転送が開始されてから１フレーム期間掛からずに視認させることができる。そのため、表示部２０は、画像データの転送が開始されてから高速で画像を表示することができる。それゆえ、ヘッドマウントディスプレイ１は、ユーザの動きに追従した画像を、ユーザに視認させることができる。
【００３５】
また、ヘッドマウントディスプレイ１では、左眼用表示領域２５ａおよび右眼用表示領域２５ｂに共通のバックライト２４を用いる。そのため、表示領域毎に独立して制御可能な個別のバックライトを設ける必要が無い。それゆえ、ヘッドマウントディスプレイ１では、構造および制御を簡易にすることができ、ヘッドマウントディスプレイ１を軽量にすることができる。
【００３６】
（処理フロー）
図５は、ホストの処理フローを示す図である。画像生成部１１は、センサー３０からの情報および／またはフレームレートに基づいて、画像更新の要否を判断する（Ｓ１）。例えば、センサー３０からの情報がユーザの向きが変わったことを示す場合、画像生成部１１は、画像更新が必要と判断する。また、画像生成部１１は、フレームレート等に基づく所定のタイミングで画像更新（画像生成）することを決定し、画像生成するときに受信済みのセンサー３０からの情報を参照して画像生成してもよい。この場合、センサー３０は定期的に情報をホスト１０に出力する。なお、動画再生等の場合は、センサー３０からの情報に関わらず、画像生成部１１は、動画内容にしたがって画像更新が必要と判断してもよい。また、表示部２０が所定期間毎に画像データの供給（表示更新）を必要とする場合、画像生成部１１は、所定期間毎に画像更新が必要と判断してもよい。
【００３７】
画像更新が必要であれば（Ｓ１でＹｅｓ）、画像生成部１１は、更新が必要な、左眼用画像データまたは右眼用画像データを生成する（Ｓ２）。画像転送部１２は、更新が必要な一方の表示領域に対応する半画面（１／２フレーム）の画像データ（左眼用画像データまたは右眼用画像データ）を表示部２０に転送する（Ｓ３）。その後、他方の表示領域に対しても画像更新が必要であれば、他方の表示領域に対応する半画面の画像データも表示部２０に転送する。画像更新が必要でない場合（Ｓ１でＮｏ）、画像生成（Ｓ２）、画像転送（Ｓ３）の処理を省略する。ホスト１０は、設定されたフレームレートに基づいて、所定のタイミングでこの処理Ｓ１〜Ｓ３を繰り返す。
【００３８】
図６は、表示部の処理フローを示す図である。表示部２０に一方の表示領域に対応する半画面の画像データの転送が開始される（Ｓ１１）。前のフレームの表示駆動が終了すると、表示駆動部２１は、表示パネル２３の表示駆動を休止させる（Ｓ１２）。直前の表示駆動が終了してから所定期間経過後に、表示駆動部２１は、バックライト２４を点灯させる（Ｓ１３）。表示駆動部２１は、別の所定期間経過後、バックライト２４を消灯させる。表示駆動部２１は、一方の半画面の画像データの１／２のデータを受信したタイミングで、メモリ２２から既に受信した一方の半画面の画像データの読み出しを開始する。表示駆動部２１は、表示パネル２３の表示駆動を開始し、一方の半画面の画像データを表示パネル２３に書き込む（Ｓ１４）。一方の半画面の画像データの書き込みが終了すると、表示駆動部２１は、表示パネル２３の表示駆動を休止させる（Ｓ１５）。
【００３９】
一方の表示領域に対応する半画面の画像データに続いて、他方の表示領域に対応する半画面の画像データの転送が開始される。直前の表示駆動が終了してから所定期間経過後に、表示駆動部２１は、バックライト２４を点灯させる（Ｓ１６）。表示駆動部２１は、別の所定期間経過後、バックライト２４を消灯させる。表示駆動部２１は、他方の半画面の画像データの１／２のデータを受信したタイミングで、メモリ２２から既に受信した他方の半画面の画像データの読み出しを開始する。表示駆動部２１は、表示パネル２３の表示駆動を開始し、他方の半画面の画像データを表示パネル２３に書き込む（Ｓ１７）。他方の半画面の画像データの書き込みが終了すると、表示駆動部２１は、表示パネル２３の表示駆動を休止させる（Ｓ１８）。
【００４０】
画像更新が必要ない（画像の変化がない）場合は、画像転送および表示駆動を省略してもよい。なお、画像転送および表示駆動を省略した場合でも、画像の表示のために、表示駆動部２１は、バックライト２４を所定の間隔で点灯させる。
【００４１】
〔実施形態２〕
本発明の他の実施形態について、以下に説明する。なお、説明の便宜上、上述の実施形態にて説明した部材と同じ機能を有する部材については、同じ符号を付記し、その説明を省略する。本実施形態のヘッドマウントディスプレイ１の構成は、図１〜３に示す構成である。本実施形態では、表示駆動だけでなく、画像転送も、フレームレート相当の速度より高速に行われる。
【００４２】
（タイミングチャート）
図７は、画像データの表示に関するタイミングチャートを示す図である。図７において横軸は時間である。ホスト１０から表示部２０に、左眼用画像データと右眼用画像データとが交互に転送される。ここでは、フレームレートは６０Ｈｚである。
【００４３】
時刻ｔ０〜ｔ２の期間（第１転送期間）に、左眼用画像データＬ１が表示部２０に１２０Ｈｚ相当の転送速度で転送される。時刻ｔ２〜ｔ５の期間（第１転送休止期間）は、画像転送が休止される期間である。時刻ｔ５〜ｔ７の期間（第２転送期間）に、右眼用画像データＲ１が表示部２０に転送される。時刻ｔ７の後にも、次のフレームの左眼用画像データＬ２が転送開始されるまで、画像転送が休止される期間（第２転送休止期間）が設けられる。
【００４４】
表示駆動部２１は、受信した左眼用画像データＬ１を一旦メモリ２２に書き込み、バックライト２４が消灯する時刻ｔ１に、左眼用画像データＬ１の表示パネル２３への書き込み（表示駆動）を開始する。バックライト２４の消灯がより早ければ、表示駆動部２１は、受信してすぐに左眼用画像データＬ１の表示パネル２３への書き込みを開始してもよい。左眼用画像データＬ１に関する表示駆動の終了タイミングが、左眼用画像データＬ１の転送の終了タイミングを追い越さなければよい。ここでは、表示駆動も、１２０Ｈｚ相当の速度で行われる。表示駆動部２１は、時刻ｔ３に左眼用表示領域２５ａの表示駆動を終了する。時刻ｔ３から次に右眼用表示領域２５ｂの表示駆動が開始される時刻ｔ６まで、表示駆動部２１は、表示パネル２３の表示駆動を休止する。
【００４５】
バックライト２４は、点灯（ＯＮ）と消灯（ＯＦＦ）とを繰り返す間欠駆動を行う。左眼用画像データＬ１の表示パネル２３への書き込みが開始される時刻ｔ１以降、バックライト２４は、時刻ｔ４まで消灯している。言い換えれば、左眼用表示領域２５ａの表示駆動が行われている第１表示駆動期間（時刻ｔ１〜ｔ３）と、表示駆動が休止されている休止期間のうちの第１期間（時刻ｔ３〜ｔ４）とにおいて、バックライト２４は消灯している。そして、休止期間のうちの第１期間の後に続く第２期間（時刻ｔ４〜ｔ６）において、バックライト２４は点灯する。すなわち、ユーザは、左眼用画像データＬ１に更新された左眼用表示領域２５ａの画像を、時刻ｔ４〜ｔ６において視認する。なお、バックライト２４は左眼用表示領域２５ａと右眼用表示領域２５ｂとに共通なので、ユーザは、時刻ｔ４〜ｔ６において、更新前の右眼用表示領域２５ｂの画像も視認する。
【００４６】
時刻ｔ５から右眼用画像データＲ１の転送が開始される。左眼用画像データＬ１と同様に、表示駆動部２１は、受信した右眼用画像データＲ１を一旦メモリ２２に書き込む。
【００４７】
バックライト２４が消灯した後、時刻ｔ６から右眼用画像データＲ１を用いて右眼用表示領域２５ｂの表示更新が開始される。時刻ｔ７において、右眼用画像データＲ１の転送が終了し、続いて時刻ｔ８に右眼用画像データＲ１の表示パネル２３への書き込みが終了する。時刻ｔ８以降にも、表示パネル２３の表示駆動を休止する休止期間が設けられる。また、休止期間のうちの表示駆動の直前の期間（時刻ｔ９〜ｔ１０）において、バックライトは点灯する。ユーザは、右眼用画像データＲ１に更新された右眼用表示領域２５ｂの画像（および左眼用画像データＬ１に更新された左眼用表示領域２５ａの画像）を、時刻ｔ９〜ｔ１０において視認する。バックライト２４が消灯した後、時刻ｔ１０から左眼用画像データＬ２を用いて左眼用表示領域２５ａの表示更新が開始される。
【００４８】
図７の例では、第１転送期間（時刻ｔ０〜ｔ２）および第２転送期間（時刻ｔ５〜ｔ７）は、それぞれ、約４．２ｍｓである。第１転送期間と第２転送期間との間の転送休止期間（時刻ｔ２〜ｔ５）は、約４．２ｍｓである。第１表示駆動期間と第２表示駆動期間との間の休止期間（時刻ｔ３〜ｔ６）も、約４．２ｍｓである。第１表示駆動期間（時刻ｔ１〜ｔ３）および第２表示駆動期間（時刻ｔ６〜ｔ８）は、それぞれ、約４．２ｍｓである。バックライト２４の１回の点灯期間（時刻ｔ４〜ｔ６またはｔ９〜ｔ１０）は、約１ｍｓである。なお、これらの数値は一例であり、変更され得る。例えば、表示駆動は、１２０Ｈｚ相当の速度より速い速度で行われてもよい。バックライトの１回の点灯期間をより長くしてもよいし、短くしてもよい。
【００４９】
直前の表示駆動の開始からバックライト２４が点灯する（第２期間の開始）までの時間は、液晶画素の応答時間以上であることが好ましい。この場合、表示駆動された表示領域の少なくとも一部の液晶画素（最初に走査される画素）の状態が十分に変化してから、バックライトが点灯する。また、直前の表示駆動の終了からバックライト２４が点灯する（第２期間の開始）までの時間は、液晶画素の応答時間以上であることがより好ましい。この場合、表示駆動された表示領域の全ての液晶画素の状態が十分に変化してから、バックライトが点灯する。これらのことは、全ての実施形態で共通である。ただし、これらに限定されない。
【００５０】
（処理フロー）
図８は、ホストの処理フローを示す図である。画像生成部１１は、センサー３０からの情報に基づいて、画像更新の要否を判断する（Ｓ２１）。画像更新が必要であれば（Ｓ２１でＹｅｓ）、画像生成部１１は、更新が必要な、左眼用画像データまたは右眼用画像データを生成する（Ｓ２２）。画像転送部１２は、更新が必要な一方の表示領域に対応する半画面（１／２フレーム）の画像データ（左眼用画像データまたは右眼用画像データ）を表示部２０に転送する（Ｓ２３）。半画面の画像データの転送が終了すると、画像転送部１２は、画像転送を休止する（Ｓ２４）。その後、他方の表示領域に対しても画像更新が必要であれば、Ｓ２３と同様に、他方の表示領域に対応する半画面の画像データも表示部２０に転送する。画像更新が必要でない場合（Ｓ２１でＮｏ）、画像生成（Ｓ２２）、画像転送（Ｓ２３）の処理を省略する。ホスト１０は、設定されたフレームレートに基づいて、所定のタイミングでこの処理Ｓ２１〜Ｓ２４を繰り返す。
【００５１】
図９は、表示部の処理フローを示す図である。表示部２０に一方の表示領域に対応する半画面の画像データの転送が開始される（Ｓ３１）。表示駆動部２１は、一方の半画面の画像データを受信すると、一旦メモリ２２に書き込む。表示駆動部２１は、表示パネル２３の同期タイミングに合わせて、メモリ２２から一方の半画面の画像データを順次読み出す。表示駆動部２１は、表示パネル２３の表示駆動を開始し、一方の半画面の画像データを表示パネル２３に書き込む（Ｓ３２）。一方の半画面の画像データの書き込みが終了すると、表示駆動部２１は、表示パネル２３の表示駆動を休止させる（Ｓ３３）。一方の表示領域の表示駆動が終了してから所定期間経過後に、表示駆動部２１は、バックライト２４を点灯させる（Ｓ３４）。表示駆動部２１は、別の所定期間経過後、バックライト２４を消灯させる。
【００５２】
一方の表示領域に対応する半画面の画像データに続いて、他方の表示領域に対応する半画面の画像データの転送が開始される。表示駆動部２１は、他方の半画面の画像データについても一旦メモリ２２に書き込み、表示パネル２３の同期タイミングに合わせて、順次メモリ２２から読み出す。表示駆動部２１は、表示パネル２３の表示駆動を開始し、他方の半画面の画像データを表示パネル２３に書き込む（Ｓ３５）。他方の半画面の画像データの書き込みが終了すると、表示駆動部２１は、表示パネル２３の表示駆動を休止させる（Ｓ３６）。他方の表示領域の表示駆動が終了してから所定期間経過後に、表示駆動部２１は、バックライト２４を点灯させる（Ｓ３７）。表示駆動部２１は、別の所定期間経過後、バックライト２４を消灯させる。
【００５３】
画像更新が必要ない（画像の変化がない）場合は、画像転送および表示駆動を省略してもよい。なお、画像転送および表示駆動を省略した場合でも、画像の表示のために、表示駆動部２１は、バックライト２４を所定の間隔で点灯させる。
【００５４】
本実施形態では、表示部２０は、画像データ（左眼用画像データＬ１または右眼用画像データＲ１）を受信してから、すぐに、または比較的早く、該画像データを用いて表示駆動を開始する。通常、フレームレートが６０Ｈｚであれば、画像転送および表示駆動は、それぞれ１フレーム期間（１／６０秒）掛けて行われる。本実施形態では、フレームレートに対応した速度に比べて、画像転送および表示駆動を高速に行う。そのため、左眼用表示領域２５ａの第１表示駆動期間と、右眼用表示領域２５ｂの第２表示駆動期間との間に、表示駆動の休止期間を設けることができる。表示駆動部２１は、該休止期間における第１期間でバックライト２４を消灯し、第１期間に続く第２期間でバックライト２４を点灯させる。それゆえ、ユーザに変化途中の画像を見せることなく、適切な画像を表示することができる。また、表示部２０は、画像データの転送が開始されてから高速に（上の例では１／２フレーム期間以内に）画像を表示することができる。それゆえ、ヘッドマウントディスプレイ１は、ユーザの動きに追従した画像を、ユーザに視認させることができる。
【００５５】
なお、表示駆動部２１が、画像データを受信してからすぐに表示駆動を開始する場合、メモリ２２を、１画素列分の容量のラインメモリとすることもできる。
【００５６】
〔まとめ〕
本発明の態様１に係る表示装置（ヘッドマウントディスプレイ１、表示部２０）は、第１眼用表示領域および第２眼用表示領域を有する表示パネル（２３）と、上記表示パネルに画像データを書き込む表示駆動部（２１）と、上記表示パネルに光を照射するバックライト（２４）とを備え、上記表示駆動部は、第１眼用画像データを上記第１眼用表示領域に書き込む第１表示駆動期間と、第２眼用画像データを上記第２眼用表示領域に書き込む第２表示駆動期間との間に、上記表示パネルの表示駆動を休止する休止期間を設け、上記バックライトは、上記休止期間のうちの第１期間において、上記第１眼用表示領域および上記第２眼用表示領域に光を照射せず、上記休止期間のうちの、上記第１期間の後に続く第２期間において、上記第１眼用表示領域および上記第２眼用表示領域に光を照射する構成である。
【００５７】
上記の構成によれば、表示装置は、第１眼用表示領域および第２眼用表示領域に共通のバックライトを備えるので、表示装置を軽量にすることができる。また、表示駆動の休止期間に、バックライトから光を照射しない第１期間と、その後に光を照射する第２期間とを設ける。そのため、変化途中の画像ではなく、更新された画像を適切にユーザに視認させることができる。また、第２眼用表示領域を表示駆動する第２駆動期間の前にバックライトから第１眼用表示領域に光を照射するため、第１眼用表示領域の更新された画像を早くユーザに視認させることができる。
【００５８】
本発明の態様２に係る表示装置は、上記の態様１において、上記画像データが書き込まれるメモリ（２２）を備え、上記表示駆動部は、上記表示駆動部に交互に転送されてくる上記第１眼用画像データおよび上記第２眼用画像データを上記メモリに書き込む構成としてもよい。
【００５９】
本発明の態様３に係る表示装置は、上記の態様２において、上記表示駆動部は、上記メモリに書き込まれている上記画像データを読み出し、該画像データを上記表示パネルに書き込むものであり、上記表示駆動部に上記第１眼用画像データを転送する第１転送期間より、上記第１表示駆動期間は短い構成としてもよい。
【００６０】
上記の構成によれば、フレームレートを落とすことなく、第１表示駆動期間と第２表示駆動期間との間に、長い休止期間を確保することができる。
【００６１】
本発明の態様４に係る表示装置は、上記の態様１または２において、上記表示駆動部に上記第１眼用画像データを転送する第１転送期間と、上記表示駆動部に上記第２眼用画像データを転送する第２転送期間との間には、上記画像データの転送を休止する転送休止期間が設けられている構成としてもよい。
【００６２】
上記の構成によれば、第１表示駆動期間をより前に設けることができるため、第２期間をより前に設けることができる。それゆえ、第１眼用画像データの転送が開始されてから、更新された画像をより早くユーザに視認させることができる。
【００６３】
本発明の態様５に係る表示装置は、上記の態様１から４のいずれか一項において、上記バックライトは、上記第２表示駆動期間の開始以前に、上記第１眼用表示領域および上記第２眼用表示領域への光の照射を終了する構成としてもよい。
【００６４】
上記の構成によれば、変化途中の画像がユーザに視認されることを防止することができる。
【００６５】
本発明の態様６に係る表示装置は、上記の態様１から５のいずれか一項において、上記表示パネルは液晶画素を含み、上記第１表示駆動期間の開始から上記第２期間の開始までの時間は、上記液晶画素の応答時間以上である構成としてもよい。
【００６６】
上記の構成によれば、第１眼用表示領域の少なくとも一部の液晶画素の状態が十分に変化してからバックライトが光の照射を行う。それゆえ、更新された画像を適切にユーザに視認させることができる。
【００６７】
本発明の態様７に係る表示装置は、上記の態様６において、上記第１表示駆動期間の終了から上記第２期間の開始までの時間は、上記液晶画素の応答時間以上である構成としてもよい。
【００６８】
上記の構成によれば、第１眼用表示領域の全ての液晶画素の状態が十分に変化してからバックライトが光の照射を行う。それゆえ、更新された画像を適切にユーザに視認させることができる。
【００６９】
本発明の態様８に係る表示装置は、上記の態様１から７のいずれか一項において、ユーザが装着可能な表示装置であって、上記ユーザの動きを検知するセンサーと、上記ユーザの動きに応じた上記画像データを生成する画像生成部とを備える構成としてもよい。
【００７０】
上記の構成によれば、例えば、ユーザの動きに追従して変化する画像を、ユーザに視認させることができる。
【００７１】
本発明の態様９に係る表示装置の制御方法は、第１眼用表示領域および第２眼用表示領域を有する表示パネルと、上記表示パネルに光を照射するバックライトとを備える表示装置の制御方法であって、第１眼用画像データを上記第１眼用表示領域に書き込む第１表示駆動期間と、第２眼用画像データを上記第２眼用表示領域に書き込む第２表示駆動期間との間に、上記表示パネルの表示駆動を休止する休止期間を設け、上記休止期間のうちの第１期間においては、上記バックライトから上記第１眼用表示領域および上記第２眼用表示領域に光を照射させず、上記休止期間のうちの、上記第１期間の後に続く第２期間において、上記バックライトから上記第１眼用表示領域および上記第２眼用表示領域に光を照射させる方法である。
【００７２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７３】
１  ヘッドマウントディスプレイ（表示装置）
１０  ホスト
１１  画像生成部
１２  画像転送部
２０  表示部（表示装置）
２１  表示駆動部
２２  メモリ
２３  表示パネル
２４  バックライト
２５ａ  左眼用表示領域
２５ｂ  右眼用表示領域
３０  センサー
【図１】
0006731059.tif 000002
【図２】
0006731059.tif 000003
【図３】
0006731059.tif 000004
【図４】
0006731059.tif 000005
【図５】
0006731059.tif 000006
【図６】
0006731059.tif 000007
【図７】
0006731059.tif 000008
【図８】
0006731059.tif 000009
【図９】
0006731059.tif 000010